(57)【要約】【課題】  レンズ鏡筒に対して角度位置が特定されるアクセサリの場合には当該角度位置でのレンズ鏡筒への装着を可能にする一方で、角度位置が特定されないアクセサリの場合には角度位置を設定する作業を不要にしてレンズ鏡筒への迅速な装着を可能にしたアクセサリの着脱構造を提供する。【解決手段】  円周方向に設けられた複数のバヨネット係合部１１〜１４を備えるレンズ鏡筒１と、バヨネット係合部に係合される複数のバヨネット片２１Ａ〜２４Ａを備える花弁型レンズフード２Ａとを備え、レンズ鏡筒１に対して特定の角度位置で装着される花弁型レンズフード２Ａは他のバヨネット片よりも長く形成された特定のバヨネット片２１Ａ，２３Ａを備え、レンズ鏡筒１に対して装着時の角度位置が特定されない丸型レンズフードはバヨネット片はバヨネット係合部のいずれにも係合可能な長さに形成される。【選択図】  図６
2006084604.tif 000002
【特許請求の範囲】
【請求項１】
円周方向の複数箇所に設けられた複数のバヨネット係合部を備えるレンズ鏡筒と、前記バヨネット係合部に係合される複数のバヨネット片を備えるアクセサリとを備え、前記バヨネット係合部は特定の長さのバヨネット片が係合可能な特定のバヨネット係合部を備え、前記アクセサリのうち、前記レンズ鏡筒に対して特定の角度位置で装着されるアクセサリは前記特定のバヨネット係合部にのみ係合される特定のバヨネット片を備え、前記アクセサリのうち、前記レンズ鏡筒に対して装着時の角度位置が特定されないアクセサリは前記バヨネット片が前記バヨネット係合部のいずれにも係合可能に形成されていることを特徴とするレンズアクセサリの着脱構造。
【請求項２】
前記バヨネット係合部は、レンズ鏡筒の外周面に形成されたフランジと、前記フランジとの間にバヨネット溝を構成するバヨネット係合壁と、前記バヨネット係合壁と円周方向に隣接され、前記バヨネット片を前記バヨネット溝に導き入れるためのバヨネット開口とを備えていることを特徴とする請求項１に記載のレンズアクセサリの着脱構造。
【請求項３】
前記バヨネット係合部は、前記特定のバヨネット係合部のバヨネット開口の円周方向の長さが、他のバヨネット係合部のバヨネット開口の円周方向の長さよりも長く形成されていることを特徴とする請求項２に記載のレンズアクセサリの着脱構造
【請求項４】
前記角度位置が特定されるアクセサリは花弁型レンズフードであり、前記角度位置が特定されないアクセサリは丸型レンズフードであることを特徴とする請求項１ないし３のいずれかに記載のレンズアクセサリの着脱構造。
【請求項５】
前記レンズ鏡筒には円周方向に等配されたＮ個（Ｎは２以上の整数）のバヨネット係合部を備え、そのうちのｎ個（ｎは１からＮ−１までの整数）のバヨネット係合部が特定バヨネット係合部として構成され、前記レンズフードには前記各バヨネット係合部に係合される円周方向に等配されたＮ個のバヨネット片を備え、前記花弁型レンズフードはそのうちｎ個のバヨネット片が特定バヨネット片として構成され、前記丸型レンズフードには特定バヨネット片が存在していないことを特徴とする請求項４に記載のレンズアクセサリの着脱構造。
【発明の詳細な説明】
【技術分野】
【０００１】
本発明はカメラの撮影レンズのレンズ鏡筒の先端部にレンズフード等のアクセサリを着脱可能にした着脱構造に関する。
【背景技術】
【０００２】
カメラの撮影レンズでは、レンズ鏡筒の先端部にフィルタやレンズフード等のアクセサリを着脱可能に構成しており、この着脱構造としてはネジ構造やバヨネット構造が一般に用いられているが、特にレンズフードのように迅速な着脱が要求されるアクセサリの場合にはバヨネット構造が採用されることが多い。図１はレンズ鏡筒１にレンズフード２を着脱可能としたバヨネット構造を示しており、レンズ鏡筒１の先端部には一部は図には表れないが円周方向の４箇所にバヨネット係合部１１，１２，１３，（１４）が形成されている。各バヨネット係合部１１〜１４はそれぞれレンズ鏡筒１の外周面に設けたフランジ１０１に沿って円周方向に所要の長さのバヨネット係合片１０３が立設され、これらバヨネット係合片１０３とフランジ１０１との間にバヨネット溝１０２を形成するとともに、円周方向に隣接しているバヨネット係合片１０３との相互間には前記バヨネット係合片１０３が存在していないバヨネット開口１０４を形成している。
【０００３】
一方、レンズフード２には前記バヨネット係合部１１〜１４に対向するように円周方向の４箇所にそれぞれバヨネット片２１，２２，２３，２４が設けられている。このバヨネット片２１〜２４は前記レンズ鏡筒１のバヨネット開口１０３とほぼ等しい円周方向の長さで外径方向に突出する円弧片として構成されている。そして、このレンズフード２をレンズ鏡筒１に装着する際には、各バヨネット片２１〜２４を対応するバヨネット係合部１１〜１４の各バヨネット開口１０３を通してレンズ鏡筒１の筒軸方向に進入させ、その上でレンズフード２を円周方向に回動することでバヨネット片２１〜２４をバヨネット溝１０２内に進入させ、バヨネット片２１〜２４をフランジ１０１とバヨネット係合片１０３との間で挟持するとともに、この挟持に際して両者間に生じる摩擦力によって係合状態を保持している。
【０００４】
このバヨネット構造ではバヨネット片をバヨネット係合部に係合させたときに、バヨネット片とバヨネット係合片との間に生じる摩擦力によってレンズフードの装着状態を保持する構成であるため、磨耗による保持力の低下や装着操作性の低下等の問題が生じることは避けらない。そのため特許文献１のようなローラを備えて転がり摩擦による着脱を実現した構造が提案されている。
【特許文献１】特許第３３６７１９１号公報
【発明の開示】
【発明が解決しようとする課題】
【０００５】
ところで、カメラの撮影レンズに装着されるレンズフードには、図２に示すように、代表的なものとして花弁型レンズフード２Ａと丸型レンズフード２Ｂがあり、撮影者が任意に選択して使用することが可能である。花弁型レンズフード２Ａは撮影レンズでの撮影時に被写体のけられが生じないように、矩形をした撮影画面の四隅に対応する円周部分においてフードに切欠を設けたものである。通常では花弁型レンズフード２Ａは上下に対称な形状に形成される。したがって、花弁型レンズフード２Ａはレンズ鏡筒１に対して上下方向の向き、すなわちレンズ鏡筒１に対するレンズフードの円周方向の角度位置を正しい角度位置に設定した状態で装着する必要がある。一方、丸型レンズフード２Ｂは図２に示すように花弁型レンズフードのような切欠を設けていない円筒型をしたものであり、レンズフードの円周方向の角度位置が規定されることはなく、任意の角度位置でレンズ鏡筒に装着することが可能である。
【０００６】
図１に示したようなバヨネット構造では、４つのバヨネット係合部１１〜１４やバヨネット片２１〜２４が円周方向に等しい中心角度間隔で、しかもそれぞれが同じ寸法に形成されているので、レンズフードをレンズ鏡筒に装着する際にバヨネット片をバヨネット係合部に係合させることが可能であればレンズフードをレンズ鏡筒に対して任意の角度位置で装着することが可能とされている。そのため、このバヨネット構造では、花弁型レンズフードをレンズ鏡筒に対して誤った角度位置に装着してしまうことがあり、この場合には撮影レンズでの撮影時に被写体のけられが発生する等の不具合が発生する。これを防止するために、特定のバヨネット片を特定のバヨネット係合部に係合させるように構成することで、花弁型レンズフードをレンズ鏡筒に対して正しい角度位置に装着するようにした構成が提案されている。例えば、バヨネット係合部とバヨネット片が特定の組み合わせでないと係合することができないように、特定のバヨネット係合部やバヨネット片の寸法を他のものと相違させる構成とすればよい。
【０００７】
しかしながら、このような特定バヨネット係合部や特定バヨネット片を備えるバヨネット構造を丸型レンズフードに適用した場合には、丸型レンズフードについても所定の角度位置で装着を行う必要が生じ、装着作業が面倒なものになる。特に、丸型レンズフードは外形状からフードの上下方向を判断することが難しいため、特定バヨネット片を特定バヨネット係合部に対応位置させることが難しく、レンズ鏡筒へのスムーズな装着が困難になる。最悪の場合には４つのバヨネット片とバヨネット係合部を順番に全部合わせてみないと正しい状態で装着することができなくなる。
【０００８】
特許文献１の着脱構造ではローラによる摩擦を低減する上では有効であるが、構造が複雑になるとともに高価なものになり、また前記したようにアクセサリの装着作業が面倒なものになるという問題を解消することは困難である。
【０００９】
本発明の目的は、装着に際しての角度位置が特定されるアクセサリの場合には当該角度位置でのレンズ鏡筒への装着を可能にする一方で、角度位置が特定されないアクセサリの場合には角度位置を設定する作業を不要にしてレンズ鏡筒への迅速な装着を可能にしたアクセサリの着脱構造を提供することにある。
【課題を解決するための手段】
【００１０】
本発明のアクセサリの着脱構造は、円周方向の複数箇所に設けられた複数のバヨネット係合部を備えるレンズ鏡筒と、バヨネット係合部に係合される複数のバヨネット片を備えるアクセサリとを備え、バヨネット係合部は特定の長さのバヨネット片が係合可能な特定のバヨネット係合部を備え、レンズ鏡筒に対して特定の角度位置で装着されるアクセサリは前記特定のバヨネット係合部にのみ係合する特定のバヨネット片を備え、レンズ鏡筒に対して装着時の角度位置が特定されないアクセサリはバヨネット片はバヨネット係合部のいずれにも係合可能に形成されていることを特徴とする。
【００１１】
ここで、バヨネット係合部は、レンズ鏡筒の外周面に形成されたフランジと、フランジとの間にバヨネット溝を構成するバヨネット係合片と、バヨネット係合片と円周方向に隣接され、バヨネット片を前記バヨネット溝に導き入れるためのバヨネット開口とを備えている。バヨネット係合部は、特定のバヨネット係合部のバヨネット開口の円周方向の長さが、他のバヨネット係合部のバヨネット開口の円周方向の長さよりも長く形成されている。
【発明の効果】
【００１２】
本発明によれば、レンズ鏡筒への装着に際しての角度位置が特定されるアクセサリの場合には、特定バヨネット片を特定バヨネット係合部に係合させることで当該角度位置への設定を容易に行ってレンズ鏡筒への装着を可能にする一方で、角度位置が特定されないアクセサリの場合には角度位置を設定する作業を不要にして任意の角度位置での装着を可能にし、レンズ鏡筒への迅速な装着を可能にする。特に、特定バヨネット係合部のバヨネット開口の円周方向の長さを他よりも長くし、角度位置が特定されるアクセサリの特定バヨネット片の円周方向の長さを他よりも長くすることで、当該アクセサリは特定の角度位置においてのみ特定バヨネット片が特定バヨネット係合部に係合してレンズ鏡筒への装着が可能となり、角度位置が特定されないアクセサリでは円周方向の長さが他よりも長い特定バヨネット片を備えていないため任意の角度位置でバヨネット片がバヨネット係合部に係合でき、レンズ鏡筒への装着が可能になる。
【発明を実施するための最良の形態】
【００１３】
本発明は、好ましくは、角度位置が特定されるアクセサリは花弁型レンズフードであり、角度位置が特定されないアクセサリは丸型レンズフードに適用される。この場合において、レンズ鏡筒には円周方向に等配されたＮ個（Ｎは２以上の整数）のバヨネット係合部を備え、そのうちのｎ個（ｎは１からＮ−１までの整数）が特定バヨネット係合部として構成され、レンズフードには各バヨネット係合部に係合される円周方向に等配されたＮ個のバヨネット片を備え、花弁型レンズフードはそのうちｎ個のバヨネット片が特定バヨネット片として構成され、丸型レンズフードには特定バヨネット片が存在していない構成とすることが好ましい。
【実施例１】
【００１４】
次に、本発明の実施例１を図面を参照して説明する。実施例１では図１に示したように、レンズ鏡筒にレンズフードを着脱可能としたバヨネット構造を示している。レンズ鏡筒１の先端部には、図３に筒軸と直交する方向の断面図を示すように、円周方向の４箇所にそれぞれバヨネット係合部１１，１２，１３，１４が形成されている。このバヨネット係合部１１〜１４は、図１に示したように前記レンズ鏡筒１の先端部の外周に全円周にわたって設けられたフランジ１０１と、このフランジ１０１の円周方向の４箇所において当該フランジ１０１とは筒軸方向に微小間隔離して形成され、前記フランジ１０１との間にバヨネット溝１０２を構成する円弧状をしたバヨネット係合片１０３と、このバヨネット係合片１０３に円周方向に隣接してレンズフード２のバヨネット片２１〜２４が筒軸方向に挿通可能なバヨネット開口１０４を備えている。前記バヨネット溝１０２は前記バヨネット開口１０４と反対側に向けられた端部において前記バヨネット係合片１０３の一部が前記フランジ１０１に連結されていることによって閉塞されており、この閉塞された端部に近い位置において前記バヨネット溝１０２の内底一部に微小寸法で外径方向に突出したクリック凸部１０５が設けられている。
【００１５】
前記４箇所のバヨネット係合部１１〜１４は図３に示すように、レンズ鏡筒１の円周方向にそれぞれ等しい中心角をもって等配されているが、４箇所のバヨネット係合部１１〜１４のうち、筒軸を挟んで対向配置される２つバヨネット係合部１１，１３のバヨネット開口１０４ａの円周方向の長さＲａは他の２つのバヨネット係合部１２，１４の各バヨネット開口１０４ｂの円周方向の長さＲｂとは異なる寸法に形成している。ここでは、カメラを正立状態としたときにレンズ鏡筒１の最も上側と下側にそれぞれ位置する２つのバヨネット係合部１１，１３を特定バヨネット係合部とし、これら特定バヨネット係合部１１，１３における各バヨネット開口１０４ａを特定バヨネット開口として定義し、これら特定バヨネット開口１０４ａの円周方向の長さＲａ１を他の２つのバヨネット係合部１２，１４の各バヨネット開口１０４ｂの円周方向の長さＲｂ１よりも長く形成している。そのため、特定バヨネット係合部１１，１３のバヨネット係合片１０３ａは他のバヨネット係合部１２，１４のバヨネット係合片１０３ｂよりも円周方向の長さが短くされている。
【００１６】
一方、前記レンズ鏡筒１に装着されるレンズフード２には、図１に概略構成を示すように、レンズ鏡筒１に装着する側の端部に内径方向に向けて内フランジ２０を突出形成しており、この内フランジ２０の内周面には前記レンズ鏡筒１のバヨネット係合部１１〜１４に対応して円周方向の４箇所にそれぞれバヨネット片２１，２２，２３，２４が設けられている。このバヨネット片２１〜２４は前記レンズ鏡筒１のバヨネット溝１０２の内底径と同じ内径寸法を有しており、また、前記レンズ鏡筒１のバヨネット開口１０４にほぼ等しい円周方向の長さ寸法を有している。前記バヨネット片２１〜２４の内周面長さ方向の両端２箇所には前記バヨネット溝１０２に設けたクリック凸部１０５に係合可能な微小なクリック凹部２０１が形成されている。
【００１７】
そして、前記レンズフードとして、フードの円周複数箇所に切欠を有する花弁型レンズフード２Ａにおいては、図４に筒軸と直交する方向の断面図を示すように、前記４つのバヨネット片２１Ａ〜２４Ａのうち、前記特定バヨネット開口１０４ａに対応する２つのバヨネット片２１Ａ，２３Ａを特定バヨネット片と定義し、この特定バヨネット片２１Ａ，２３Ａの円周方向の長さＲａ２を前記特定バヨネット開口１０４ａの円周方向の長さＲａ１にほぼ等しい長さに形成している。他の２つのバヨネット片２２Ａ，２４Ａは、前記特定バヨネット開口１０４ａ以外のバヨネット開口１０４ｂの円周方向の長さＲｂ１にほぼ等しい長さＲｂ２に形成しており、したがってこれら２つのバヨネット片２２Ａ，２４Ａの長さは前記特定バヨネット片２１Ａ，２３Ａの長さよりも短く形成されている。ここで前記クリック凹部２０１は前記特定バヨネット片２１Ａ，２３Ａのそれぞれに２箇所ずつ設けられる。
【００１８】
これに対し、フードに切欠を有していない円筒状をした丸型レンズフード２Ｂでは、図５に筒軸と直交する方向の断面図を示すように、４つのバヨネット片２１Ｂ，２２Ｂ，２３Ｂ，２４Ｂの長さＲｂ２を全て等しく形成し、前記レンズ鏡筒１の特定バヨネット開口以外の２つのバヨネット開口１０４ｂの長さＲｂ１に等しい長さ寸法に形成されている。ここで前記クリック凹部２０１は前記４つのバヨネット片２１Ｂ〜２４Ｂのそれぞれに２箇所ずつ設けられる。
【００１９】
以上の構成によれば、図１に示したレンズフード２をレンズ鏡筒１に装着する際には、レンズフード２のバヨネット片２１〜２４をレンズ鏡筒１の各バヨネット係合部１１〜１４のバヨネット開口１０４に対向するようにレンズフード２の円周方向の角度位置を設定した上でバヨネット片２１〜２４がフランジ１０１に当接するまでバヨネット開口１０４内に筒軸方向に進入させる。しかる後、レンズフード２を円周方向に回動することでバヨネット片２１〜２４がバヨネット溝１０２内に進入され、バヨネット片２１〜２４はフランジ１０１とバヨネット係合片１０３との間に挟持され、これらの間に生じる摩擦力によって係合状態が保持される。また、バヨネット溝１０２の内底面に設けられたクリック凸部１０５が、バヨネット片２１〜２４の内周面に設けられた回転方向の先端側のクリック凹部２０１に係合することによっても係合状態が保持される。
【００２０】
ここで、花弁型レンズフード２Ａをレンズ鏡筒１に装着するときは、図６に示すように、２つの特定バヨネット片２１Ａ，２３Ａをそれぞれ特定バヨネット係合部１１，１３の特定バヨネット開口１０３ａに対向位置させた角度位置に設定する。このとき、バヨネット片２２Ａ，２４Ａはバヨネット係合部１２，１４のバヨネット開口１０３ｂに対向位置されることは言うまでもない。しかる上で前述のように花弁型レンズフード２Ａを円周方向に回動して４つの各バヨネット片２１Ａ〜２４Ａをそれぞれバヨネット溝１０２に進入させることで図７に示すように各バヨネット片２１Ａ〜２４Ａは各バヨネット係合部１１〜１４に係合される。そして、各バヨネット溝１０２内に進入させた各バヨネット片２１Ａ〜２４Ａは、前述のようにバヨネット溝１０２内においてフランジ１０１とバヨネット係合片１０３ａ，１０３ｂとで挟持された際の摩擦力と、回転方向の先端側のクリック凹部２０１がクリック凸部１０５を乗り越えて係合することによって両者の係合状態が保持される。なお、図８は図７のＡ−Ａ線部の断面図である。
【００２１】
なお、花弁型レンズフード２Ａは上下が対称な形状であるので、上下を反対にしてレンズ鏡筒１に装着しても問題がない。そのため、実施例１では筒軸を中心にした対称な２つの位置に特定バヨネット係合部１１，１３と特定バヨネット片２１Ａ，２３Ａを配置しており、上下のいずれの方向でもレンズフードを装着可能としている。ただし、上下方向の形状が対称ではなく上下の区別が要求される花弁型レンズフードの場合には、４つのバヨネット係合部及びバヨネット片のうち、いずれか１つのみを特定バヨネット係合部及びバヨネット片として構成しておけば、花弁型レンズフードを上下方向についても適正に装着することが可能である。
【００２２】
なお、花弁型レンズフード２Ａをレンズ鏡筒１に装着する際に、図９に示すように、特定バヨネット片２１Ａ，２３Ａが特定バヨネット開口以外の他の２つのバヨネット開口１０３ｂに対向された角度位置では、特定バヨネット片２１Ａ，２３Ａの円周方向の長さが当該これら２つのバヨネット開口１０３ｂの円周方向の長さよりも長いため、特定バヨネット片２１Ａ，２３Ａが符号Ｘで示す箇所においてバヨネット係合片１０３ｂに筒軸方向に雨衝突する状態となり、特定バヨネット片２１Ａ，２３Ａを当該バヨネット開口１０３ｂに進入させることはできなくなる。そのため、この角度位置ではバヨネット片２１Ａ〜２４Ａをバヨネット溝１０２に係合させることもできず、花弁型レンズフード２Ａをレンズ鏡筒１に装着することは不可能である。
【００２３】
これに対し、丸型レンズフード２Ｂは４つのバヨネット片２１Ｂ〜２４Ｂの長さ寸法は、レンズ鏡筒１の特定バヨネット開口１０３ａよりも短い他の２つのバヨネット開口１０３ｂの長さに等しいため、図１０に示すように、丸型レンズフード２Ｂのいずれの角度位置でも４つのバヨネット片２１Ｂ〜２４Ｂは特定バヨネット開口１０３ａ内及び他の２つのバヨネット開口１０３ｂ内にそれぞれ進入させ、さらには各バヨネット溝１０２内に進入させて図１１に示すように係合状態とすることができるので、丸型レンズフード２Ｂをレンズ鏡筒１に装着することが可能である。このとき、いずれのバヨネット片２１Ｂ〜２４Ｂが特定バヨネット係合部１０３ａに係合した場合でも、４つのバヨネット片２１Ｂ〜２４Ｂにはそれぞれクリック凹部２０１が設けられているのでクリック凸部１０５に適正に係合して係合状態を保持することが可能になる。
【００２４】
このように、実施例１では、花弁型レンズフード２Ａは特定バヨネット片２１Ａ，２３Ａが特定バヨネット係合部１１，１３に対向される角度位置、すなわち予め設計されている特定の角度位置でのみレンズ鏡筒１に対する装着が可能となる。これにより、花弁型レンズフード２Ａが間違った角度位置でレンズ鏡筒１に装着されることが未然に防止でき、撮影レンズでの撮影において花弁型レンズフードによって被写体のけられが生じることが防止される。一方、被写体のけられが生じるおそれのない丸型レンズフード２はバヨネット片の数の４つのいずれの角度位置での装着が可能であり、迅速な装着が実現できる。
【００２５】
なお、以上のレンズフードの装着については、レンズフードを使用しないとき、すなわちレンズフード２Ａ又は２Ｂを前述と反対に向けてレンズ鏡筒１を覆う向きに装着してレンズフードを収納する場合についても同様である。ただし、このときには各バヨネット片においてはそれぞれ２つ設けられているクリック凹部のうち、前述とは異なる側のクリック凹部がバヨネット溝のクリック凸部に係合してレンズフードを保持させるために利用される。
【実施例２】
【００２６】
実施例１では、４つのバヨネット係合部のうち、２つのバヨネット係合部を特定バヨネット係合部として構成しているが、３つあるいは５以上のバヨネット係合部を備える構成としてもよい。この場合には、花弁型レンズフードにはこれに対応して適宜数の特定バヨネット片を備える構成とする。すなわち、本発明ではＮ個（Ｎは２以上の整数）のバヨネット係合を備える場合に、ｎ個（ｎは１からＮ−１までの整数）のバヨネット係合部を特定係合部とすればよいことが判る。
【００２７】
例えば、図１２に示す実施例２では、花弁型レンズフード２Ａの４つのバヨネット片２１Ａ，２２Ａ，２３Ａ，２４Ａのうち、３つのバヨネット片２１Ａ，２２Ａ，２３Ａを特定バヨネット片として長さ寸法Ｒａ２に構成したものであり、残りの１つのバヨネット片２４Ａをそれよりも短い長さ寸法Ｒｂ２に構成したものである。一方、丸型レンズフード２Ｂは図５と同じであり、４つのバヨネット片２１Ｂ，２２Ｂ，２３Ｂ，２４Ｂは全て同じ長さ寸法Ｒｂ２に構成している。このように構成しても実施例１と同様に花弁型レンズフード２Ａを特定の角度位置のみでレンズ鏡筒１に対する装着が可能になり、丸型レンズフード２Ｂはいずれの角度位置でもレンズ鏡筒１に対する装着が可能であることは言うまでもない。
【００２８】
ここで、前記実施例１では４つのバヨネット係合部を備えた構成例を示しているが、複数のバヨネット係合部が等しい中心角で円周方向に等配され、そのうちの少なくとも１つのバヨネット開口が特定バヨネット開口としてその円周方向の寸法が長くされ、花弁型レンズフードは特定バヨネット開口に対応して特定バヨネット片の円周方向の寸法が他のバヨネット開口の長さよりも長くされ、丸型レンズフードはいずれのバヨネット片も円周方向の寸法が他のバヨネット開口の寸法に等しくされている構成であれば、実施例１のバヨネット係合部の数に限られるものではない。
【実施例３】
【００２９】
前記実施例１では花弁型レンズフードの特定バヨネット片をレンズ鏡筒の特定バヨネット開口に対応させているため、花弁型レンズフードを収納状態でレンズ鏡筒に装着する場合でも特定の角度位置に装着することが要求される。この場合、収納状態のときに花弁型レンズフードを任意の角度位置において収納できるように構成してもよく、実施例３では、花弁型レンズフードのバヨネット片を２列構造としてこれを実現している。すなわち、説明を簡単にするために実施例１と同様にレンズ鏡筒１には４つのバヨネット係合部が設けられ、そのうち２つの特定バヨネット係合部のバヨネット開口の寸法が長く形成されているものとする。
【００３０】
花弁型レンズフード２Ａの内フランジ２０の軸方向の外面側に図４と同様に第１バヨネット片２１Ａ〜２４Ａを形成し、内面側に図５と同様に第２バヨネット片２１Ｂ〜２４Ｂを形成する。第１バヨネット片２１Ａ〜２４Ａは実施例１と同じであり、４つのバヨネット片のうち、２つの特定バヨネット片２１Ａ，２３Ａの長さが特定バヨネット開口１０３ａの長さに等しい長さに形成されている。一方、第２バヨネット片２１Ｂ〜２４Ｂは実施例１における丸型レンズフード２Ｂのバヨネット片２１Ｂ〜２４Ｂと同じであり、４つのバヨネット片は特定バヨネット開口１０３ａ以外の他のバヨネット開口１０３ｂの長さに等しい長さ寸法に形成されている。
【００３１】
実施例３では、花弁型レンズフード２Ａをレンズフードとして使用する場合には、図１３（ａ）に示すように、第１バヨネット片２１Ａ（〜２４Ａ）をレンズ鏡筒１のバヨネット係合部１１（〜１４）に係合して装着を行う。第１バヨネット片２１Ａ（〜２４Ａ）は特定バヨネット片２１Ａ，２３Ａが特定バヨネット係合部１１，１３に対応させて他の第１バヨネット片２２Ａ，２４Ａよりも長く形成されているので、実施例１と同様に特定バヨネット片２１Ａ，２３Ａが特定バヨネット係合部１１，１３に対向される特定の角度位置でのみ花弁型レンズフードを装着することが可能である。したがって、当該花弁型レンズフード２Ａをレンズ鏡筒１に装着した場合には撮影レンズにおける被写体のけられが防止できる。
【００３２】
一方、花弁型レンズフード２Ａを収納状態で装着するときには、図１３（ｂ）に示すように、当該レンズフードをレンズ鏡筒１に被せるようにして装着するが、このときには第２バヨネット片２１Ｂ（〜２４Ｂ）をバヨネット係合部１１（〜１４）に係合して装着を行う。第２バヨネット片２１Ｂ（〜２４Ｂ）は全て特定バヨネット開口１０３ａ以外のバヨネット開口１０３ｂと同じ短い寸法に形成されているので、花弁型レンズフード２Ａをレンズ鏡筒１を覆う位置に収納すべく任意の角度位置で収納しようとしたときには全ての第２バヨネット片２１Ｂ（〜２４Ｂ）はいずれのバヨネット係合部１１〜１４にも係合させることが可能になる。したがって、花弁型レンズフードを収納状態に装着する際には角度位置にかかわりなく装着が可能であり、迅速な装着が可能になる。
【００３３】
なお、本発明は前記実施例に記載したレンズフードに限られるものではなく、フィルタやコンバージョンレンズ等のようにレンズ鏡筒に装着するアクセサリであって、レンズ鏡筒に対して特定の角度位置での装着が要求され、あるいは要求されることがないようなアクセサリであれば本発明の構造を同様に適用することが可能である。
【図面の簡単な説明】
【００３４】
【図１】レンズ鏡筒とレンズフードのバヨネット構造を説明するための概略斜視図である。
【図２】異なるレンズフードを示す斜視図である。
【図３】レンズ鏡筒のバヨネット係合部の断面図である。
【図４】花弁型レンズフードのバヨネット片の断面図である。
【図５】丸型レンズフードのバヨネット片の断面図である。
【図６】花弁型レンズフードを装着する状態を示す模式断面図である。
【図７】花弁型レンズフードを装着した状態を示す模式断面図である。
【図８】図７のＡ−Ａ線断面図である。
【図９】花弁型レンズフードを誤った角度位置で装着する状態を示す模式断面図である。
【図１０】丸型レンズフードを装着する状態を示す模式断面図である。
【図１１】丸型レンズフードを装着した状態を示す模式断面図である。
【図１２】実施例２の花弁型レンズフードのバヨネット片の断面図である。
【図１３】花弁型レンズフードの実施例３の図８と同様の断面図である。
【符号の説明】
【００３５】
１  レンズ鏡筒
２  レンズフード
２Ａ  花弁型レンズフード
２Ｂ  丸型レンズフード
１１〜１４  バヨネット係合部
１１，１３  特定バヨネット係合部
２１Ａ〜２４Ａ  バヨネット片
２１Ｂ〜２４Ｂ  バヨネット片
１０１  フランジ
１０２  バヨネット溝
１０３  バヨネット係合片
１０３ａ  特定バヨネット係合片
１０４  バヨネット開口
１０４ａ  特定バヨネット開口
１０５  クリック凸部
２０１  クリック凹部
【図１】
2006084604.tif 000003
【図２】
2006084604.tif 000004
【図３】
2006084604.tif 000005
【図４】
2006084604.tif 000006
【図５】
2006084604.tif 000007
【図６】
2006084604.tif 000008
【図７】
2006084604.tif 000009
【図８】
2006084604.tif 000010
【図９】
2006084604.tif 000011
【図１０】
2006084604.tif 000012
【図１１】
2006084604.tif 000013
【図１２】
2006084604.tif 000014
【図１３】
2006084604.tif 000015